(57)【要約】【課題】作成する印刷物が複数種となる場合、各印刷物において使用する機器が重複しないように選択することが可能な輪転印刷機等を提供する。【解決手段】搬送される複数のウェブＷにそれぞれ印刷可能な印刷装置Ｕと、印刷された複数のウェブＷから複数種の異なる印刷物を同時に作成可能な折機Ｆと、搬送される複数のウェブＷに使用される複数の機器と、印刷装置Ｕ、折機Ｆおよび複数の機器を制御可能な運転管理制御装置１２と、を備え、運転管理制御装置１２は、作成する印刷物に応じて使用する機器を選択した運転条件データを受信可能なデータ受信部８３と、受信した複数の運転条件データを比較して、使用する機器が重複しているか否かを判定可能な重複判定部８４と、を有している。【選択図】        図１
2010094846.tif 000002
【特許請求の範囲】
【請求項１】
搬送される複数のウェブにそれぞれ印刷可能な印刷装置と、
印刷された前記複数のウェブから複数種の異なる印刷物を同時に作成可能な折機と、
搬送される前記複数のウェブに使用される複数の機器と、
前記印刷装置、前記折機および前記複数の機器を制御可能な制御装置と、を備え、
前記制御装置は、
作成する前記印刷物に応じて使用する前記機器を選択した使用機器データを取得可能なデータ取得手段と、
取得した複数の前記使用機器データを比較して、使用する前記機器が重複しているか否かを判定可能な重複判定手段と、を有していることを特徴とする輪転印刷機。
【請求項２】
前記制御装置は、前記重複判定手段により重複していると判定された場合、重複した前記機器を報知可能な報知手段を、さらに有していることを特徴とする請求項１に記載の輪転印刷機。
【請求項３】
前記重複判定手段は、先に取得した前記使用機器データにおいて選択した前記機器に対し、後に取得した前記使用機器データにおいて選択した前記機器が重複しているか否かを判定しており、
前記制御装置は、
前記重複判定手段により重複していると判定された場合、後に取得した前記使用機器データに代えて、先に取得した前記使用機器データにおいて選択した前記機器に重複していない他の前記使用機器データを教示可能な教示手段を、さらに有していることを特徴とする請求項１または２に記載の輪転印刷機。
【請求項４】
前記データ取得手段は、前記印刷装置から前記折機へ至る複数のウェブ経路に対応する複数のウェブ通しＩＤを取得可能に構成されており、
前記制御装置は、
前記各ウェブ経路と前記各ウェブ経路において使用される前記機器とが対応するように、前記各ウェブ通しＩＤに前記機器を関連付けて設定していることを特徴とする請求項１ないし３のいずれか１項に記載の輪転印刷機。
【請求項５】
前記折機は、
前記使用機器データを取得可能な折機側データ取得手段と、
取得した複数の前記使用機器データを比較して、使用する前記機器が重複しているか否かを判定可能な折機側重複判定手段と、を有していることを特徴とする請求項１ないし４のいずれか１項に記載の輪転印刷機。
【請求項６】
前記複数の機器は、前記各ウェブの断裁位置を調整可能な複数のコンペンセータローラ、前記各ウェブの搬送方向に直交する幅方向おける印刷位置を調整するための複数のウェブサイドレイ、前記各ウェブのテンションを調整可能な複数のダンサーローラ、前記各ウェブのウェブ経路を変更可能な複数のターンバー、前記各ターンバーへ向けてエアーを供給する複数のエアブロア、前記各エアブロアから前記複数のターンバーへ至るエアー流路を開閉可能な複数のターンバーバルブ、前記各ウェブを搬送するための複数の搬送ローラ、前記各ウェブを搬送するための駆動源となる複数のウェブモータ、前記各ウェブを搬送方向に沿って縦折りする複数の三角板、前記各ウェブの断紙を検出可能な複数の断紙検出センサ、前記各ウェブ経路に沿って前記各ウェブを紙通しするための駆動源となる複数の紙通しモータ、または前記各ウェブを紙通しするための各ウェブ経路を変更可能な複数の経路切替器であることを特徴とする請求項１ないし５のいずれか１項に記載の輪転印刷機。
【請求項７】
異なる印刷物を同時に作成可能な輪転印刷機に設けられた複数の機器を、作成する印刷物に応じて選択した場合、前記輪転印刷機に設けられた制御装置は、選択した前記複数の機器に対応する複数の使用機器データを取得すると共に、取得した前記複数の使用機器データを比較して、使用する前記機器が重複しているか否かを判定することを特徴とする重複判定方法。
【発明の詳細な説明】
【技術分野】
【０００１】
本発明は、搬送されるウェブに印刷を行うと共に、印刷後のウェブから、複数種の異なる印刷物を同時に作成可能な輪転印刷機および重複判定方法に関するものである。
【背景技術】
【０００２】
従来、一般的な新聞用オフセット輪転印刷機は、給紙装置、印刷ユニット、ウェブパス装置、および折機等から構成されている。そして、給紙装置から印刷ユニットにウェブが供給されると、ウェブに対して印刷が施され、ウェブパス装置で多数のウェブの走行ルートが変更されてから所定の順番に重ね合わされる。この後、折機にて、重ね合わされたウェブが縦折りされてから所定の長さで横裁断され、横折されることで折帳、すなわち新聞（印刷物）が作成され、排紙される。
【０００３】
【特許文献１】特開２００６−１５９８０２号公報
【発明の開示】
【発明が解決しようとする課題】
【０００４】
ここで、従来の新聞用オフセット輪転印刷機において、例えば、頁数の少ない印刷物を作成する場合、使用する給紙装置や印刷ユニット等を減らすと共に、使用する給紙装置や印刷ユニット等を選択する必要がある。つまり、従来の新聞用オフセット輪転印刷機では、作成する印刷物に応じて、使用する給紙装置および印刷ユニット等の組み合わせを変更している。
【０００５】
ところで、新聞用オフセット輪転印刷機では、新聞以外に広告などの別刷りを行っている。このような別刷りを従来の新聞用オフセット輪転印刷機により行う場合、新聞用オフセット輪転印刷機は一種類ずつ印刷を行うように構成されているため、新聞を印刷していない空き時間を利用して別刷りを行っている。このため、新聞用オフセット輪転印刷機による別刷りの印刷作業は、印刷準備時間や作業切換時間などを考慮すると、新聞の印刷作業の前後に行われることとなり、作業効率が良くない。
【０００６】
このため、作業効率を向上させるべく、新聞と同時に別刷りを行うことが可能な新聞用オフセット輪転印刷機が考えられている。つまり、この新聞用オフセット輪転印刷機によれば、異なる複数種の印刷物を同時に作成することができる。このとき、新聞用オフセット輪転印刷機により二種類の印刷物を同時に作成する場合、作成する二種類の印刷物に応じて、使用する給紙装置および印刷ユニット等をそれぞれ選択する必要がある。
【０００７】
この場合、給紙装置および印刷ユニット等の選択は、オペレータの操作により行われるが、オペレータの誤操作により、一方の印刷物の作成に使用される給紙装置や印刷ユニット等と、他方の印刷物の作成に使用される給紙装置や印刷ユニット等と、が重複して選択される虞がある。
【０００８】
そこで、本発明は、作成する印刷物が複数種となる場合、各印刷物において使用する機器が重複しないように選択することが可能な輪転印刷機および重複判定方法を提供することを課題とする。
【課題を解決するための手段】
【０００９】
本発明の輪転印刷機は、搬送される複数のウェブにそれぞれ印刷可能な印刷装置と、印刷された複数のウェブから複数種の異なる印刷物を同時に作成可能な折機と、搬送される複数のウェブに使用される複数の機器と、印刷装置、折機および複数の機器を制御可能な制御装置と、を備え、制御装置は、作成する印刷物に応じて使用する機器を選択した使用機器データを取得可能なデータ取得手段と、取得した複数の使用機器データを比較して、使用する機器が重複しているか否かを判定可能な重複判定手段と、を有していることを特徴とする。
【００１０】
この場合、制御装置は、重複判定手段により重複していると判定された場合、重複した機器を報知可能な報知手段を、さらに有していることが、好ましい。
【００１１】
これらの場合、重複判定手段は、先に取得した使用機器データにおいて選択した機器に対し、後に取得した使用機器データにおいて選択した機器が重複しているか否かを判定しており、制御装置は、重複判定手段により重複していると判定された場合、後に取得した使用機器データに代えて、先に取得した使用機器データにおいて選択した機器に重複していない他の使用機器データを教示可能な教示手段を、さらに有していることが、好ましい。
【００１２】
また、これらの場合、データ取得手段は、印刷装置から折機へ至る複数のウェブ経路に対応する複数のウェブ通しＩＤを取得可能に構成されており、制御装置は、各ウェブ経路と各ウェブ経路において使用される機器とが対応するように、各ウェブ通しＩＤに機器を関連付けて設定していることが、好ましい。
【００１３】
また、これらの場合、折機は、使用機器データを取得可能な折機側データ取得手段と、取得した複数の使用機器データを比較して、使用する機器が重複しているか否かを判定可能な折機側重複判定手段と、を有していることが、好ましい。
【００１４】
また、これらの場合、複数の機器は、各ウェブの断裁位置を調整可能な複数のコンペンセータローラ、各ウェブの搬送方向に直交する幅方向おける印刷位置を調整するための複数のウェブサイドレイ、各ウェブのテンションを調整可能な複数のダンサーローラ、各ウェブのウェブ経路を変更可能な複数のターンバー、各ターンバーへ向けてエアーを供給する複数のエアブロア、エアブロアから複数のターンバーへ至るエアー流路を開閉可能な複数のターンバーバルブ、各ウェブを搬送するための複数の搬送ローラ、各ウェブを搬送するための駆動源となる複数のウェブモータ、各ウェブを搬送方向に沿って縦折りする複数の三角板、各ウェブの断紙を検出可能な複数の断紙検出センサ、各ウェブ経路に沿って各ウェブを紙通しするための駆動源となる複数の紙通しモータ、または各ウェブを紙通しするための各ウェブ経路を変更可能な複数の経路切替器であることが、好ましい。
【００１５】
本発明の重複判定方法は、異なる印刷物を同時に作成可能な輪転印刷機に設けられた複数の機器を、作成する印刷物に応じて選択した場合、輪転印刷機に設けられた制御装置は、選択した複数の機器に対応する複数の使用機器データを取得すると共に、取得した複数の使用機器データを比較して、使用する機器が重複しているか否かを判定することを特徴とする。
【発明の効果】
【００１６】
請求項１の輪転印刷機および請求項７の重複判定方法によれば、複数種の印刷物に対応する複数の使用機器データを比較することで、各印刷物の作成に使用される機器が重複しているか否かを判定することができる。このため、使用する機器が重複していると判定された場合、オペレータは、この判定に基づいて、使用する機器が重複していることを認識し、誤操作であることを認識することができる。これにより、オペレータは、使用する機器が重複しないように選択することができる。
【００１７】
請求項２の輪転印刷機によれば、報知手段により、使用する機器が重複している旨をオペレータに報知することができるため、オペレータに対し、重複した機器を認識させることができる。
【００１８】
請求項３の輪転印刷機によれば、教示手段により、先に取得した使用機器データに対応する印刷物に使用される機器と重複しないような他の使用機器データを、オペレータに教示することができる。これにより、オペレータは、使用する機器が重複しない好適な使用機器データに変更することができる。
【００１９】
請求項４の輪転印刷機によれば、制御装置は、ウェブ通しＩＤ毎に機器を関連付けて設定することができるため、各ウェブ経路において使用される機器を特定することができる。これにより、オペレータは、ウェブ経路毎に使用される機器を適切に管理することができる。
【００２０】
請求項５の輪転印刷機によれば、折機においても、複数の印刷物に対応する複数の使用機器データを比較することができ、各印刷物の作成に使用される機器が重複しているか否かを判定することができる。このため、例えば、制御装置が使用不可能な状態であっても、折機において、各印刷物の作成に使用される機器が重複しているか否かを判定することが可能となる。
【００２１】
請求項６の輪転印刷機によれば、複数の機器として、複数のコンペンセータローラ、複数のウェブサイドレイ、複数のダンサーローラ、複数のターンバー、複数のエアブロア、複数のターンバーバルブ、複数の搬送ローラ、複数のウェブモータ、複数の三角板、複数の断紙検出センサ、複数の紙通しモータ、および複数の経路切替器を適用することができる。
【発明を実施するための最良の形態】
【００２２】
以下、添付した図面を参照して、本発明にかかる輪転印刷機および重複判定方法について説明する。なお、この実施例によりこの発明が限定されるものではない。
【実施例１】
【００２３】
ここで、図１は、実施例１に係る新聞用オフセット輪転印刷機を表す概略図であり、図２は、インフィード装置周りを表す概略図である。また、図３は、モニタに表示される運転条件選択画面の説明図である。
【００２４】
本実施例において、図１に示すように、輪転印刷機として適用された新聞用オフセット輪転印刷機１０は、複数（本実施例では、５台）の給紙ユニットＲ１〜Ｒ５を有する給紙装置Ｒと、複数（本実施例では、５台）の印刷ユニットＵ１〜Ｕ５を有する印刷装置Ｕと、ウェブパス装置Ｄと、複数（本実施例では、２個）の折ユニットＦ１，Ｆ２を有する折機Ｆと、これらを統括して制御を行う運転管理制御装置１２とから構成されている。
【００２５】
各給紙ユニットＲ１〜Ｒ５には、それぞれウェブＷがロール状に巻かれた３つの巻取紙Ｐを保持する保持アーム１５が設けられ、この保持アーム１５を回動させることで、巻取紙Ｐを給紙位置に臨ませることができる。また、この各給紙ユニットＲ１〜Ｒ５には、図示しない紙継装置が設けられており、給紙位置で繰り出されている巻取紙Ｐが残り少なくなると、この紙継装置により給紙位置にある巻取紙Ｐに対して、待機位置にある巻取紙Ｐを紙継することができる。
【００２６】
各印刷ユニットＵ１〜Ｕ５において、印刷ユニットＵ１，Ｕ５は、両面４色印刷を行う多色刷印刷ユニットであり、印刷ユニットＵ２〜Ｕ４は、両面２色印刷を行う２色刷印刷ユニットとなっている。また、各給紙ユニットＲ１〜Ｒ５と各印刷ユニットＵ１〜Ｕ５との間には、複数のインフィード装置Ｉ１〜Ｉ５が設けられている。
【００２７】
図２に示すように、各インフィード装置Ｉ１〜Ｉ５は、各ウェブＷを各印刷ユニットＵ１〜Ｕ５へ向けて搬送するインフィードローラ３６と、ウェブＷのテンションを検出するテンション検出ローラ３３と、ウェブＷのテンションを調整可能なダンサーローラ３４と、を有している。インフィードローラ３６は、図示しない駆動モータ（ウェブモータ）により回転駆動に構成されている。テンション検出ローラ３３は、ウェブＷの搬送経路においてインフィードローラ３６と印刷ユニットＵ１〜Ｕ５との間に配設され、ウェブＷのテンションを検出している。ダンサーローラ３４は、テンション検出ローラ３３とインフィードローラ３６との間に配設され、転接するウェブＷに対し離接方向へ移動可能に構成されている。このとき、ダンサーローラ３４は、上記の運転管理制御装置１２に制御可能に接続されている。
【００２８】
従って、テンション検出ローラ３３によりウェブＷのテンションが検出されると、運転管理制御装置１２は、ダンサーローラ３４を離接方向へ適宜移動させることで、ウェブＷに加わるテンションを調整している。
【００２９】
そして、これら各印刷ユニットＵ１〜Ｕ５および各インフィード装置Ｉ１〜Ｉ５は、それぞれ独立して駆動することが可能となっており、各給紙ユニットＲ１〜Ｒ５から各インフィード装置Ｉ１〜Ｉ５を介して各印刷ユニットＵ１〜Ｕ５にウェブＷが供給されると、各印刷ユニットＵ１〜Ｕ５では、各ウェブＷに対して所定の印刷を行うことができる。
【００３０】
なお、本実施例では、各印刷ユニットＵ１〜Ｕ５を、多色刷印刷ユニットＵ１，Ｕ５と２色刷印刷ユニットＵ２〜Ｕ４により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００３１】
ウェブパス装置Ｄは、ウェブＷの搬送方向（縦方向）に沿ってその幅方向（横方向）の中央部で２つに裁断する複数のカッタ（図示省略）と、裁断したウェブＷの搬送経路を設定する多数のターンバー３０と、後述する折機ＦによりウェブＷの幅方向に横断裁される断裁位置を調整する複数のコンペンセータローラ３１と、が設けられている。そして、ウェブパス装置Ｄは、各コンペンセータローラ３１を径方向（例えば、水平方向）に前後移動させて位置を調整することにより、ウェブＷの幅方向に横断裁される断裁位置を調整している。従って、各印刷ユニットＵ１〜Ｕ５で印刷が施された５つのウェブＷは、ウェブパス装置Ｄにて、カッタにより縦裁断されて１０のウェブになると共に、ターンバー３０により搬送経路が変更され、さらにコンペンセータローラ３１により断裁位置が調整された後、所定の順番に重ね合わせられる。このとき、コンペンセータローラ３１およびターンバー３０は、上記の運転管理制御装置１２に制御可能に接続されている。
【００３２】
また、図示は省略するが、ウェブパス装置Ｄには、各ターンバー３０へ向けてエアーを供給する複数のエアブロアが配設されると共に、各エアブロアから複数のターンバー３０へ至るエアー流路を開閉可能な複数のターンバーバルブが配設されている。そして、エアブロアから供給されたエアーは、各ターンバー３０の周面から吹き出されることで、各ターンバー３０とウェブＷとを非接触状態とする。このとき、複数のエアブロアおよび複数のターンバーバルブは、上記の運転管理制御装置１２に制御可能に接続されている。
【００３３】
折機Ｆは、２個の折ユニットＦ１，Ｆ２を有している。この各折ユニットＦ１，Ｆ２は、図示しない複数の駆動モータにより、各種の搬送ローラおよび各種の胴が駆動可能となっており、各折ユニットＦ１，Ｆ２は独立して駆動することが可能となっている。また、各折ユニットＦ１，Ｆ２は、導入されたウェブＷを搬送方向に沿って縦折りする三角板３８を有し、折機Ｆは、２個の折ユニットＦ１，Ｆ２をそれぞれ制御する後述の折機コントローラ７０に接続されている。
【００３４】
従って、各折ユニットＦ１，Ｆ２は独立して駆動することが可能となっており、ウェブパス装置Ｄから複数のウェブＷが重ねられて導入されると、各折ユニットＦ１，Ｆ２にて、三角板３８によりウェブＷを縦折りし、各種の胴により所定の長さで横裁断し、横折りして所望の折帳（新聞：印刷物）を形成することができ、この折帳を排紙することができる。なお、２個の折ユニットＦ１，Ｆ２のうち、一方が操作側の折ユニットＦ１となっており、他方が駆動側の折ユニットＦ２となっている。
【００３５】
ここで、新聞用オフセット輪転印刷機１０による一連の印刷動作について説明する。なお、この新聞用オフセット輪転印刷機１０では、各印刷ユニットＵ１〜Ｕ５、各インフィード装置Ｉ１〜Ｉ５および各折ユニットＦ１，Ｆ２は独立して駆動することが可能となっているため、一種類の印刷物を作成することはもちろん、二種類の異なる印刷物を同時に作成することが可能となっている。つまり、二種類の印刷物のうち、一方の印刷物は、複数の印刷ユニットＵ１〜Ｕ５の中の一部の印刷ユニットを用いて印刷が行われた後、一方の折ユニットＦ１から排紙され、他方の印刷物は、残りの印刷ユニット用いて印刷が行われた後、他方の折ユニットＦ２から排紙される。以下、二種類の異なる印刷物を同時に作成する場合について説明する。
【００３６】
先ず、各給紙ユニットＲ１〜Ｒ５から各インフィード装置Ｉ１〜Ｉ５を介して各印刷ユニットＵ１〜Ｕ５に各ウェブＷが供給されると、各印刷ユニットＵ１〜Ｕ５では、各ウェブＷに対して４色刷や２色刷が両面に行われる。次に、各印刷ユニットＵ１〜Ｕ５で印刷が施された複数のウェブＷは、ウェブパス装置Ｄにおいて、カッタにより縦裁断されると共に、ウェブの走行ルート（ウェブ経路）が変更され、この後、作成される二種類の印刷物に応じて、折ユニットＦ１に導入されるウェブ群と、折ユニットＦ２に導入されるウェブ群とに分けられて、それぞれ所定の順番に重ね合わせられる。そして、ウェブパス装置Ｄにより重ね合わされた２つのウェブ群が、折機Ｆに導入されると、各折ユニットＦ１，Ｆ２のそれぞれにおいて、重ね合わされた各ウェブ群は、縦折りされた後、所定の長さで横裁断され、横折りされて所望の折帳が作成され、この後、この折帳は排紙される。これにより、二種類の異なる印刷物を同時に作成することができる。なお、本実施例では、２個の折ユニットＦ１，Ｆ２から成る折機Ｆを用いているため、同時に作成可能な印刷物は二種類となるが、折ユニットを２つ以上設けることにより、同時に作成可能な印刷物を二種以上とすることができる。
【００３７】
また、図示は省略するが、輪転印刷機１０には、紙通し装置、見当調整装置、および複数の断紙検出センサが配設されている。複数の断紙検出センサは、各印刷ユニットＵ１〜Ｕ５から折機Ｆへ至る複数のウェブ経路にそれぞれ配設されており、搬送されるウェブＷの断紙を検出している。
【００３８】
紙通し装置は、巻取紙Ｐから繰り出されたウェブＷを各給紙ユニットＲ１〜Ｒ５から折機Ｆまで紙通しするものである。そして、紙通し装置には、紙通しの駆動源となる複数の紙通しモータが配設され、また、紙通し経路（ウェブ経路）の経路切替を行う複数の経路切替器が配設されている。このとき、複数の紙通しモータおよび複数の経路切替器は、上記の運転管理制御装置１２に制御可能に接続されている。
【００３９】
見当調整装置は、各印刷ユニットＵ１〜Ｕ５周りに配設され、搬送方向および幅方向において生じた印刷ズレを修正している。そして、見当調整装置には、幅方向における印刷ズレを修正するための複数のウェブサイドレイが配設され、複数のウェブサイドレイは、上記の運転管理制御装置１２に制御可能に接続されている。
【００４０】
ここで、新聞用オフセット輪転印刷機１０では、上述したように、各印刷ユニットＵ１〜Ｕ５、各インフィード装置Ｉ１〜Ｉ５および各折ユニットＦ１，Ｆ２は独立して駆動することが可能となっている。そして、輪転印刷機１０には、各印刷ユニットＵ１〜Ｕ５および各インフィード装置Ｉ１〜Ｉ５を駆動制御可能な複数の印刷ユニットコントローラ６０が配設され、ウェブパス装置Ｄおよび折機Ｆを駆動制御可能な折機コントローラ７０が配設されている。
【００４１】
また、これらのコントローラ６０，７０は、上記した運転管理制御装置１２に接続されており、運転管理制御装置１２は、印刷ユニットコントローラ６０および折機コントローラ７０を介して、各印刷ユニットＵ１〜Ｕ５、各インフィード装置Ｉ１〜Ｉ５、ウェブパス装置Ｄおよび各折ユニットＦ１，Ｆ２を制御することが可能となっている。このとき、運転管理制御装置１２は、主として、新聞用オフセット輪転印刷機１０の初期印刷設定（プリセット）を行うために用いられる。
【００４２】
ところで、上記の新聞用オフセット輪転印刷機１０において、二種類の印刷物を同時に作成する場合、輪転印刷機１０のプリセット時において、複数の印刷ユニットＵ１〜Ｕ５の中から、その一方の印刷物を作成するために使用する印刷ユニットＵ１〜Ｕ５を選択すると共に、その他方の印刷物を作成するために使用する印刷ユニットＵ１〜Ｕ５を選択する必要がある。同様に、印刷物を作成する際に使用される複数の機器についても選択する必要がある。ここで、複数の機器は、例えば、上記した複数のダンサーローラ３４、複数のコンペンセータローラ３１、複数のターンバー３０、複数のエアブロア、複数のターンバーバルブ、各ウェブを搬送するための複数の各種搬送ローラ、各ウェブを搬送するための駆動源となる複数の駆動モータ（ウェブモータ）、複数の三角板３８、複数の断紙検出センサ、複数の紙通しモータ、複数の経路切替器や、複数のウェブサイドレイ等である。なお、複数の機器は、これらに限定することなく、印刷物の作成時において使用される機器であれば良い。
【００４３】
しかしながら、輪転印刷機１０のプリセット時において、一方の印刷物を作成するために使用される機器と、他方の印刷物を作成するために使用される機器と、が重複してしまうと、重複した機器の制御が困難となる虞がある。このため、本実施例の輪転印刷機１０では、プリセット時において、使用される機器が重複してセットされないように構成されている。以下、図１および図３を参照して、本実施例の発明部分について、具体的に説明する。
【００４４】
先ず、運転管理制御装置１２について説明するに、運転管理制御装置１２は、各印刷ユニットコントローラ６０および折機コントローラ７０に連結された複数（本実施例では、２個）の制御コントローラ８０を有している。そして、複数の制御コントローラ８０には、タッチパネル式の複数（本実施例では、２個）のモニタ８１がそれぞれ接続されている。このとき、一方のモニタ８１には、一方の印刷物に関する運転条件を設定するための運転条件選択画面Ｇが表示可能となっており、他方のモニタ８１には、他方の印刷物に関する運転条件を設定するための運転条件選択画面Ｇが表示可能となっている。なお、運転条件の設定とは、使用する各給紙ユニットＲ１〜Ｒ５、使用する各印刷ユニットＵ１〜Ｕ５、使用する各折ユニットＦ１，Ｆ２、印刷物を作成する際に使用される上記の各種機器や、頁割付および色割付等を、入力・選択して設定することである。
【００４５】
ここで、図３を参照して、運転条件選択画面Ｇについて説明するが、各モニタ８１に表示される運転条件選択画面Ｇは同様の構成となっているため、一方の運転条件選択画面Ｇについてのみ説明する。
【００４６】
運転条件選択画面Ｇは、一方の印刷物における輪転印刷機１０の運転条件を設定するものである。運転条件選択画面Ｇの図示中央には、各印刷ユニットＵ１〜Ｕ５に対応させて割り付けられた新聞の頁割に関する頁割画面９０が表示されており、また、運転条件選択画面Ｇの図示右側中央には、上から順に、予め登録された運転条件を運転条件データとして各コントローラ６０，７０，８０に送信するための運転条件ロードボタン９１と、印刷を終了するための刷了ボタン９２と、新規の運転条件を登録する運転条件ＩＤ設定ボタン９３と、が配置されている。
【００４７】
運転条件ロードボタン９１を押すと、モニタ８１には、登録された複数の運転条件ＩＤが表示され、この中から所望の運転条件ＩＤを選択することにより、輪転印刷機１０を所望の運転条件に設定するための運転条件データがロードされる。これにより、輪転印刷機１０の運転条件は、所望の組み合わせとなった印刷ユニットＵ１〜Ｕ５、インフィード装置Ｉ１〜Ｉ５、折ユニットＦ１，Ｆ２および各種機器とすることができる。一方、運転条件ＩＤ設定ボタン９３を押すと、モニタ８１には、運転条件ＩＤを新規登録するための新規ＩＤ登録画面が表示され、新規ＩＤ登録画面において、新たな運転条件を設定することができる。
【００４８】
運転条件選択画面Ｇの図示右側下側には、頁割付ボタン１０１と、色割付ボタン１０２と、紙通しＩＤボタン１０３と、対応頁ボタン１０４と、折機頁ボタン１０５と、自動排紙・ダンサー圧ボタン１０６と、モータ・クラッチボタン１０７と、が配置されている。
【００４９】
頁割付ボタン１０１は、頁割付を入力・変更するためのボタンである。色割付ボタン１０２は、色割付を入力・変更するためのボタンである。紙通しＩＤボタン１０３は、各印刷ユニットＵ１〜Ｕ５から折機Ｆへ向けてウェブＷの紙通しがされる紙通し経路（すなわち、ウェブ経路）を表示・変更するためのボタンである。対応頁ボタン１０４は、使用されるコンペンセータローラ３１、ターンバー３０およびウェブサイドレイに対応する割付頁を表示すると共に、割付頁を入力・変更するためのボタンである。折機頁ボタン１０５は、各折ユニットＦ１，Ｆ２で作成される印刷物の頁数や各種設定を入力・変更するためのボタンである。自動排紙・ダンサー圧ボタン１０６は、排紙に関する各種設定やダンサーローラ３４によるダンサー圧を入力・変更するためのボタンである。モータ・クラッチボタン１０７は、輪転印刷機１０において使用される駆動モータを連結・非連結するためのボタンである。
【００５０】
運転条件選択画面Ｇにおいて、上記した各種ボタンを操作して、所望の運転条件が設定されると、運転条件データが、各コントローラ６０，７０，８０に送信される。このとき、運転条件の１つである紙通しＩＤには、紙通し経路（ウェブ経路）において使用される機器が関連付けて自動的に設定される。つまり、紙通しＩＤは、各印刷ユニットＵ１〜Ｕ５から折機Ｆへ至る複数のウェブ経路に対応して複数用意されており、各紙通しＩＤに対応する各ウェブ経路と各ウェブ経路において使用される機器とが対応するように、各紙通しＩＤと使用される機器とが関連付けて設定される。これにより、紙通しＩＤ毎に、各種機器を管理することが可能となる。このとき、紙通しＩＤに関連付けられる各種機器としては、例えば、複数のコンペンセータローラ３１、複数の駆動モータ、複数のターンバー３０、複数のターンバーバルブ、複数の断紙検出センサや、複数の三角板３８である。
【００５１】
運転条件選択画面Ｇにおいて、設定された運転条件に基づく運転条件データは、各制御コントローラ８０に設けたデータ受信部８３（データ取得手段）に格納される。ここで、各制御コントローラ８０は、上記のデータ受信部８３と、重複判定部８４（重複判定手段）と、重複報知部８５（報知手段）と、データ教示部８６（教示手段）とを有している。
【００５２】
重複判定部８４は、データ受信部８３に先に受信された運転条件データで設定された機器に対し、データ受信部８３に後に受信された運転条件データで設定された機器が重複しているか否かを判定している。
【００５３】
重複報知部８５は、重複判定部８４により重複していると判定された場合、各モニタ８１上に重複した機器を表示させており、運転管理制御装置１２を操作するオペレータに対し、使用する機器が重複している旨、報知することができる。
【００５４】
データ教示部８６は、重複判定部８４により重複していると判定された場合、後に取得した運転条件データに代えて、先に取得した運転条件データにおける機器に重複していない他の運転条件データを、各モニタ８１上に表示させている。これにより、データ教示部８６は、オペレータに対し、先の運転条件データで設定された機器に重複しない運転条件データの設定を促すことができる。
【００５５】
ところで、折機コントローラ７０も、上記の各制御コントローラ８０と同様の構成となっている。すなわち、折機コントローラ７０には、タッチパネル式のモニタ７１が接続されている。そして、折機コントローラ７０は、運転条件データを受信する折機側データ受信部７３（折機側データ取得手段）と、折機側重複判定部７４（折機側重複判定手段）と、折機側重複報知部７５と、折機側データ教示部７６とを有している。なお、折機側データ受信部７３、折機側重複判定部７４、折機側重複報知部７５および折機側データ教示部７６は、上記の各制御コントローラ８０のデータ受信部８３、重複判定部８４、重複報知部８５およびデータ教示部８６と同様の構成であるため、説明を省略する。また、折機コントローラ７０による重複判定は、運転管理制御装置１２が使用不能状態である場合に、運転管理制御装置１２の代替として行われる。
【００５６】
ここで、一方の印刷物に関する運転条件を設定した後、他方の印刷物に関する運転条件を設定した場合における、運転管理制御装置１２の一連の制御動作について説明する。先ず、オペレータは、一方の制御コントローラ８０に接続された一方のモニタ８１上に表示される運転条件選択画面Ｇを操作し、所望の運転条件を設定する。すると、運転条件選択画面Ｇ上において設定した運転条件は、運転条件データ（以下、先の運転条件データという）として、一方の制御コントローラ８０のデータ受信部８３に格納されると共に、他方の制御コントローラ８０、各印刷ユニットコントローラ６０および折機コントローラ７０へ向けて先の運転条件データが送信される。すると、他方の制御コントローラ８０のデータ受信部８３および折機コントローラ７０の折機側データ受信部７３には、先の運転条件データが受信される。
【００５７】
この後、オペレータは、他方の制御コントローラ８０に接続された他方のモニタ８１上に表示される運転条件選択画面Ｇを操作し、所望の運転条件を設定する。すると、運転条件選択画面Ｇ上において設定した運転条件は、運転条件データ（以下、後の運転条件データという）として、他方の制御コントローラ８０のデータ受信部８３に格納されると共に、一方の制御コントローラ８０、各印刷ユニットコントローラ６０および折機コントローラ７０へ向けて後の運転条件データが送信される。すると、制御コントローラ８０のデータ受信部８３および折機コントローラ７０の折機側データ受信部７３には、後の運転条件データが受信される。
【００５８】
このとき、制御コントローラ８０の重複判定部８４および折機コントローラ７０の折機側重複判定部７４は、先に受信した運転条件データと後に受信した運転条件データとを比較し、先の運転条件データで設定された機器に対し、後の運転条件データで設定された機器が重複しているか否かを判定する。なお、折機コントローラ７０の折機側重複判定部７４は、制御コントローラ８０が使用不能状態である場合に重複判定を行うが、制御コントローラ８０により重複判定が行われた場合は重複判定を行わない。
【００５９】
そして、重複判定部８４および折機側重複判定部７４により重複していると判定された場合、重複報知部８５および折機側重複報知部７５は、モニタ７１，８１上において、重複した機器を報知すると共に、データ教示部８６および折機側データ教示部７６は、後の運転条件データに代えて、先の運転条件データで設定された機器に重複しない他の運転条件データを、モニタ７１，８１上に表示する。
【００６０】
以上の構成によれば、先の運転条件データと後の運転条件データとを比較することで、それぞれの印刷物の作成に使用される機器が重複しているか否かを判定することができる。そして、使用する機器が重複していると判定された場合、モニタ７１，８１上に、重複した機器を表示することができるため、オペレータは、使用する機器が重複していることを認識することができる。さらに、モニタ７１，８１上には、後の運転条件データの代替となる他の運転条件データが表示されるため、オペレータは、先の運転条件データで設定された機器に重複しない運転条件データを容易に設定することが可能となる。
【００６１】
なお、本実施例において、運転管理制御装置１２は、２台の制御コントローラ８０を有する構成としたが、これらを１台の制御コントローラで構成してもよく、これに伴いモニタの構成を１個としてもよい。これによれば、部品点数を削減することができるため、低コスト化することができると共に、装置構成をコンパクトにすることができる。
【００６２】
また、本実施例において、運転管理制御装置１２が使用不能状態である場合、運転管理制御装置１２の代替として、折機コントローラ７０による重複判定を行ったが、これに限らず、各印刷ユニットコントローラ６０による重複判定を行ってもよい。すなわち、各印刷ユニットコントローラ６０に、運転条件データを受信するデータ受信部、受信された運転条件データに基づいて機器が重複しているか否かを判定する重複判定部、重複した旨を報知する重複報知部、重複した運転条件データに代えて、他の運転条件データを教示するデータ教示部が設けられても良い。さらに、折機コントローラ７０には、折機側データ受信部７３、折機側重複判定部７４、折機側重複報知部７５、および折機側データ教示部７６が設けられていたが、これを廃した構成にしてもよい。また、折機コントローラ７０の折機側重複判定部７４を、制御コントローラ８０の重複判定部８４へ纏めてもよい。つまり、運転管理制御装置１２において、データ受信部８３、重複判定部８４、重複報知部８５およびデータ教示部８６は、各制御コントローラ８０に設けたが、これに限らず、各コントローラ６０，７０，８０に適宜配設すればよい。
【産業上の利用可能性】
【００６３】
以上のように、本発明にかかる輪転印刷機および重複判定方法は、異なる複数種の印刷物を同時に作成する場合に適しており、特に、作成されるそれぞれの印刷物に使用される機器が重複した場合において有用である。
【図面の簡単な説明】
【００６４】
【図１】本実施例に係る新聞用オフセット輪転印刷機を表した概略構成図である。
【図２】インフィード装置周りを表した概略構成図である。
【図３】モニタに表示される運転条件選択画面の説明図である。
【符号の説明】
【００６５】
１０    新聞用オフセット輪転印刷機
１２    運転管理制御装置
３０    ターンバー
３１    コンペンセータローラ
３３    テンション検出ローラ
３４    ダンサーローラ
３６    インフィードローラ
６０    各印刷ユニットコントローラ
７０    各折機コントローラ
７１    （折機コントローラの）モニタ
７３    折機側データ受信部
７４    折機側重複判定部
７５    折機側重複報知部
７６    折機側データ教示部
８０    制御コントローラ
８１    （制御コントローラの）モニタ
８３    データ受信部
８４    重複判定部
８５    重複報知部
８６    データ教示部
Ｗ      ウェブ
Ｒ１〜Ｒ５  複数の給紙ユニット
Ｕ１〜Ｕ５  複数の印刷ユニット
Ｄ      ウェブパス装置
Ｆ１，Ｆ２  複数の折ユニット
Ｉ１〜Ｉ５  複数のインフィード装置
Ｇ      運転条件選択画面
【図１】
2010094846.tif 000003
【図２】
2010094846.tif 000004
【図３】
2010094846.tif 000005